(57)【要約】      （修正有）【課題】自然エネルギーを取り込む照明装置を提供する。【解決手段】柱状の独立体の内部に貫流ルート１０を設け、日中の熱輻射波を吸収した後、内部の空気分子に作用して遊離速度を速め、合力を形成し、機械エネルギーに転化させて懸垂式エアスクリュー(Ａｉｒ ｓｃｒｅｗ)３０に回転を発生さる。さらに磁石発電機３を駆動して電流を発生させ、該電流を取り込みと制御を経て照明に利用する。【選択図】図３
0003146566.tif 000002
【実用新案登録請求の範囲】
【請求項１】
自然エネルギーを取り込む照明装置であって、特に、日中の熱輻射波を吸収した後、貫流ルート内部の空気分子に作用させて空気分子の遊離速度を速め、機械エネルギーを形成して電流に転化し、取り込みと制御を経て照明に利用することができる柱状の独立した装置であり、
筒状で地面に直立させることができ、中空の内部に貫流ルートが形成され、外側表面が吸熱端であり、内側が発射端であり、前記貫流ルート下方に取入口が設けられ、上方に排出口が設けられた熱伝導体と、
貫流ルート内部の排出口近くの一端に懸置され、そのスクリューが下方向に上述のルートの中心にされ、且つ前記スクリューを懸垂方式で貫流ルート上端に結合した発電機アッセンブリと、 
貫流ルート外表に設置されたLED発光装置と、
貫流ルート内部の取入口を越えて下方に設置された逐電装置と、
上述の各装置を接続するワイヤと、
上述の装置の動作を制御する制御回路、
を含むことを特徴とする、自然エネルギーを取り込む照明装置。
【請求項２】
前記熱伝導体が熱伝導アルミ合金金属であることを特徴とする、請求項１に記載の自然エネルギーを取り込む照明装置。
【請求項３】
前記熱伝導体が鉱物材料から形成されることを特徴とする、請求項１に記載の自然エネルギーを取り込む照明装置。
【請求項４】
前記熱伝導体の発射端表面積が吸熱端の表面積より大きく、その発射率が吸熱端より大きいことを特徴とする、請求項１に記載の自然エネルギーを取り込む照明装置。
【請求項５】
前記貫流ルート内周の半径がやや小さい周面の位置に、内側に向けた反射部材を設けたことを特徴とする、請求項１に記載の自然エネルギーを取り込む照明装置。
【請求項６】
前記熱伝導体が片状の板材であり、複数を組み立てて筒状を成し、中空部に貫流ルートを形成したことを特徴とする、請求項１に記載の自然エネルギーを取り込む照明装置。
【請求項７】
前記蓄電装置が制御回路を介して前記貫流ルート外部上端に位置する風力発電装置と接続されたことを特徴とする、請求項１に記載の自然エネルギーを取り込む照明装置。
【請求項８】
前記発電機アッセンブリが複数の平らなブロック状の発電機であり、前記貫流ルートの排出口近くの一端に同軸で相互に重ねて組み立てられ、そのうち、平らなブロック状の前記発電機は中央に発電ユニットが設けられ、幅方向に複数のファン羽根が分布され、且つ前記ファン羽根が連結端を介して懸垂方式で前記発電ユニットの軸心に結合されたことを特徴とする、請求項１に記載の自然エネルギーを取り込む照明装置。
【請求項９】
前記発電機アッセンブリが磁石発電機を含み、トラスにより前記貫流ルートの排出口近くの一端に結合され、その軸心に垂下する膜状の連続した螺旋状の軽量エアスクリューを結合したことを特徴とする、請求項１に記載の自然エネルギーを取り込む照明装置。
【考案の詳細な説明】
【技術分野】
【０００１】
本考案は自然エネルギーを取り込む照明装置に関し、特に、日中の熱輻射波を吸収した後空気分子に作用し、機械エネルギーを形成して電流に転換し、取り込みと制御を経た後照明に利用することができる、自然エネルギーを取り込む照明装置に関する。
【背景技術】
【０００２】
近年、多くの省エネまたは異なるルートで電気エネルギーを得ることに関する設計が世に出ているが、多くのルートの中で、直接自然環境の天然エネルギーを得て電力または熱力に転換することができれば最も環境保護に役立つ。現在、熱対流の風力発電装置があり、これはターボファンを利用し、内部で同軸の発電機に接続し、全体が尖形屋根の上部角端の位置に設置され、建物内部の温度が高いとき、熱気がターボファンから通過し、熱気をターボファンに向かわせて発電装置を連動するものである。
【０００３】
米国特許第７２９９６３２号案では、実用的太陽エネルギー発電技術が開示されており、これは焦点方式を利用して太陽エネルギーを光学伝導部材に集中させ、ヒートシンク端を経て太陽エネルギー電場を作り出すものである。また、公告２００４０１８７９０７案等もみな集光後に変換してエネルギーを出力するものである。
【０００４】
台湾国際特許第分類f０３d９/００類等の類別内には、多くの器材の廃熱を収集して流動エネルギーを生成し、発電機を押し動かして運動を発生するものがある。
【０００５】
上述のいくつかの設計は、熱対流を利用した方式で発電を発生し、その動エネルギー源は組み合わせる使用対象の物理条件に基づき決定され、例えば工場の屋根の温度状況により決定したり、また使用場所により制限されることもある。
【考案の開示】
【考案が解決しようとする課題】
【０００６】
本考案の第一の目的は、日中の熱輻射波を吸収した後システム内部の空気分子に向かって作用させ、空気分子相互間の遊離速度を速め、容積の変化を経て機械エネルギーを形成し、電流に転化して出力し、取り込みを経て照明の装置に利用することができる、自然エネルギーを取り込む照明装置を提供することにある。
【０００７】
本考案の第二の目的は、貫流ルートの管路内部において、同軸に、但し半径がやや小さい径方向の位置に、軸心方向に向かう反射部材を設け、軸心部の熱輻射量及びエネルギー保存効果を向上することができる、自然エネルギーを取り込む照明装置を提供することにある。
【０００８】
本考案の第三の目的は、前記蓄電装置が貫流ルート底部に設置され、電子イオンの反応時に発生する廃熱を貫流ルート上方に直接作用させることができる、自然エネルギーを取り込む照明装置を提供することにある。
【０００９】
本考案の第四の目的は、前記貫流ルートが複数の熱伝導効果を備えた板材で囲んで成る、自然エネルギーを取り込む照明装置を提供することにある。
【００１０】
本考案の第五の目的は、前記熱伝導体が高強度の機構力を備え、熱伝導金属を採用することができる、自然エネルギーを取り込む照明装置を提供することにある。
【００１１】
本考案の第六の目的は、前記貫流ルートの最上端に、補助用の風力発電装置を設置した、自然エネルギーを取り込む照明装置を提供することにある。
【００１２】
本考案の第七の目的は、前記発光装置がさらにロジック回路の操作を経て、動作タイミングを夜間の暗いときに定めることができる、自然エネルギーを取り込む照明装置を提供することにある。
【課題を解決するための手段】
【００１３】
本考案の自然エネルギーを取り込む照明装置は、熱伝導体で囲んで成り、地面に直立させることができる筒状の独立体を設け、軸心に貫流ルートを形成し、熱伝導体が環境の熱輻射波を吸収した後、その発射端が熱波を貫流ルート内部に向かって射出し、貫流ルート内部に収容された空気分子が熱波に励起されて空気分子間の遊離速度が速められ、同時に容積の変化を形成して上方向に浮力を発生し、懸垂式エアスクリューを押し動かして回転させ、それにより発電装置を駆動して電流を発生させ、この電流が内部に設けられた蓄電装置に保存され、出力後LED部材を使用した発光装置を発光させることができる。
【考案を実施するための最良の形態】
【００１４】
本考案は日中の熱輻射波を吸収した後、システム内部の空気分子に向かって作用させ、空気分子相互間の遊離速度を速め、容積の変化を経て機械エネルギーを形成し、それを電流に転化して出力し、取り込みを経て照明に利用することができる、柱状の独立装置を提供する。
【００１５】
一般の物理現象は気体についていうと、温度はある容積下で且つ外力がないとき圧力と関係がある。但し、温度と圧力の反応は、開放空間ではその空間が自然界の環境圧力下にあるため、その圧力の違いは海抜の高さにのみあり、地域の定点で圧力は一定値にある。このため、温度の高低は外部の媒体の状態によってのみ決まり、圧力は一定値とみなすことができる。本考案の媒体は太陽の輻射熱波である。また温度は体積と関係があり、気体は熱を受けると体積の膨張を発生し、且つ限られた空間の制限を受けることで力が発生する。この力は方向導引と集合を経て形成された膨張力であり、スクリューを押し動かすことができる。
【００１６】
本考案は自然界のエネルギーを電気エネルギーに転化するために、吸熱ができ、かつ一箇所に向けて指向的に熱輻射波を発射することができる熱伝導体を採用し、熱を受けた空間の空気分子間の遊離速度を速め、流動エネルギーを作り出して発電する。
【００１７】
本考案の具体的な実施内容及び動作原理について、以下図面に基づき詳細に説明する。
【００１８】
まず図１に示すように、本考案の完成品は、地表に立てることができる筒状の独立体であり、内部の軸方向に貫流ルート１０が形成される。該貫流ルート１０は熱伝導体１で囲んで形成され、この貫流ルート１０の上下端にそれぞれ取入口１０１と排出口１０２が設けられ、底部はシャーシ１００により支持される。
【００１９】
貫流ルート１０の外表は熱伝導体１により形成された吸熱端１１であり、熱伝導体１が太陽エネルギー輻射波R０を受け取ったとき、熱伝導体１のコア部の伝達を経て、外部の熱を貫流ルート１０の方向に導引し、貫流ルート１０内部の空気分子の分子間の遊離速度を速めて膨張させる。該膨張率は同時に体積比の変化を形成する。加えて環境空気が大気圧により加圧されて取入口１０１から進入し、貫流ルート１０内部の空気に上方向への熱流効果を発生させ、集めた合力を機械エネルギーに転化して発電を駆動する。
【００２０】
本考案はジュール熱力学の第一法則の関係に基づいて説明すると、熱形式のエネルギーは仕事に転換することができ、且つ仕事のひとつの形態が機械エネルギーであり、本考案は熱-仕事の転換を利用して機械エネルギーを形成し、発電設備に電流を発生させ、これを取り込んで制御し、光の照射に用いることができる。
【００２１】
上述の基礎により、本考案の貫流ルートは一定の高さを備え、且つ吸熱端１１は取入口１０１から連続して上方向に排出口１０２まで配置される。このため、貫流ルート１０内の各単位距離内の流速は下から上に順次異なる。ニュートンの運動の第二法則によると、本考案の貫流ルート１０内部の単位容積の空気分子が前述の熱の上昇作用を受けて上方向に浮動する移動速度を生み出した後、その下方の空気が前述の同じ熱反応により形成された力を得て、上方の単位容積の空気に対し同じ運動方向の力で作用して、加速度が得られる。この速度が即ち上昇流速である。また、本考案の貫流ルート１０は原則上まっすぐな筒形の通路であるため、ほぼ均一に近い断面積を備えている。前述の速度の変化を組み合わせ、排出口１０２に近い部分に単位時間内の最大の合力が形成され、移動変化中連続した螺旋状のエアスクリューが全量で順次押し動かされ、回転される（図３参照）。
【００２２】
熱伝導体１（図２参照）は、外部太陽エネルギーの熱輻射波を吸収し、且つ、該輻射波は不可視の遠赤外線および可視のグロー波を含む。
【００２３】
外部の熱輻射波R０は熱伝導体１の吸熱端１１により吸収された後、熱伝導体１本体に吸収される。吸熱端１１は吸収率のよい材質とし、熱輻射の進入により得られた熱は熱伝導体１本体から伝達される。この伝達は熱平衡作用の一種であり、熱が他端に到達すると解放の動作が形成される。すなわち、吸熱端１１から進入した熱は発射端１２に向かって導引され、発射端１２は上述の貫流ルート１０に対面する。
【００２４】
発射端１２は前記熱の発射を行い、そのうち、発射端１２の表面積は原則上吸熱端１１より大きいものとし、かつ発射端１２の発射率は吸熱端１１より高く、その発射率は表面積の拡大により増加される。すなわち、同一材質を採用した条件下において、表面積が拡大されると、その熱の発射率もそれに伴って増加する。その表面積の拡大方式は、凹凸面１２０などとすることができ、且つ凹凸面１２０は規則的または不規則的とすることができる。
【００２５】
吸熱端１１の表面は粗面１１０として設けることができ、該粗面１１０の実施は、主により多くの方向で垂直の太陽エネルギー輻射波R０の真っ直ぐな照射を得るために、平行かつ互い違いに排列した模様、或いは互い違いの太い線、または粒状の突起、菱形の突起等、不規則に分布した凹凸立体表面とすることができる。吸熱端１１の発射率は原則として発射端１２より小さい必要があり、それにより太陽光が発生する太陽エネルギー輻射波R０が熱伝導体１に進入した後、指向的に発射端１２方向に伝達され、直接貫流ルート１０の内部に進入する。
【００２６】
上述の熱伝導体１の材料選択は、例えば黒体などの熱吸収率及び発射率のよい材料を採用する。但し黒体は自然界において存在せず、単に理論的代表事物であるが、関連の科学技術の発展でさまざまな黒体に似た技術が提供されており、例えば黒体管等の材料が生成されている。、現在黒体管の材料は概ねセラミック鉱物材料から成り、鉱物の中に色が黒色の材料を混合し、焼結または再焼黒或いは常温または加熱固化を経て成り、内容物は熱伝導性のある金属を含むことができ、その形状は金型の生産出たような設計とすることができる。
【００２７】
黒体管に次ぐ材料は合金金属材料であり、熱抵抗係数が比較的低い金属を利用して立体形態を形成した後、その一表面が熱輻射波の進入を受け、熱平衡作用により他端から伝達され、本考案の実施に基づき金属を採用して熱伝導を行うとき、その作用する内表面の面積は吸収面の面積より大きくし、それによりより高い発射比率を達成することができ、吸入した熱を仕事する側に指向させる。前記熱伝導金属材料は合金材料とし、特にアルミ合金を最良とする。
【００２８】
本考案の全体の実施は、図３に示すように、貫流ルート１０の軸心線の排出口近くに発電機アッセンブリ３００が設置され、該発電機アッセンブリ３００は懸垂式の縦方向のエアスクリュー３０及び磁石発電機３を含み、前記エアスクリュー３０は伝動軸３１を介して前記磁石発電機３に連結され、該磁石発電機３はトラス３２で貫流ルート１０の上端に結合され、該磁石発電機３はトラス３２を介して倒置方式で上端に結合され、伝動軸３１が下に向けられる。そのうちエアスクリュー３０は伝動軸３１に懸垂され、エアスクリュー３０の重量は伝動軸３１を経由してトラス３２に支持される。その運転摩擦力は磁石発電機３の枢着構造に帰納される。エアスクリュー３０下端は自由端とすることができ、これによりエアスクリュー３０はあらゆる方向の微小な外力を受けるだけで容易に動き、この動きが高い可能性で静止摩擦力を除去し、軽便にエアスクリュー３０の回転が始動される。
【００２９】
貫流ルート１０は熱伝導体１で囲まれて成り、最上端に気体排出口１０２が設けられ、底部の位置に大気環境圧力の取入口１０１が設けられる。熱伝導体１の外表の吸熱端１１が太陽光の太陽エネルギー輻射波R０を吸収した後、図２に示すような作用を発生し、発射端１２の方向に向かって輻射波R１，を伝達かつ発生し、該輻射波R１が貫流ルート１０内部の元の空気に作用してその温度を上昇させ、空気間の分子の遊離速度を速めて膨張させる。膨張過程で同時に体積比の変化を形成し、それにより貫流ルート１０内部の空気に圧力気流を発生させ、該気流の流動機械エネルギーでエアスクリュー３０を押し動かし、磁石発電機３が駆動されて磁場切断方式の発電動作を発生する。発生した電流は導線（図示しない）により内部の蓄電装置４に送られて保存される。
【００３０】
熱伝導体１の吸熱端１１は太陽エネルギー輻射波R０の照射を継続して受け、それを吸収した後、貫流ルート１０の方向に伝達する。この継続的動作により、取入口１０１に進入する冷めた空気が前述同様に励起かつ操作され、その分子の遊離速度を速めて膨張させ、膨張した容積が排出口１０２から解放される。このため、継続的な吸熱が連鎖的な熱-仕事反応を生成し、かつ前述のニュートンの運動の第二法則に基づく動態原理で、連続的かつ有効な動エネルギーが生成される。エアスクリュー３０を経由して該動エネルギーが回転運動として集められ、磁石発電機３を駆動し、太陽エネルギー輻射波R０の照射がある状態下で、磁石発電機３が連続発電を行って電流を発生し、ワイヤを経由してこの電流が蓄電装置４に保存される。
【００３１】
蓄電装置４は制御回路４１が設けられ、該制御回路４１が電流供給の状態を決定する。蓄電装置４が充電され、その電荷がいっぱいになると、制御回路４１の制御により充電が切断される。蓄電装置４の電量が消耗しすぎると、例えば鉛酸電池の液体が淡化しないようにするため、制御回路４１の事前設定条件を利用して、そのタイミング点で給電を停止し、蓄電装置４の寿命を維持することができる。且つ、発光装置２に対してその動作時間を環境が暗いときのみ動作するよう指示することができる。このタイミング制御は制御回路４１にセンサー部材を設置して達成することができ、そのうち、前記制御回路４１の設計は一般的な電池保護及びタイミング操作回路であるため、ここでは説明を省略する。
【００３２】
貫流ルート１０の外表に発光装置２が設置され、該発光装置２はLED部材２１から形成される。該LED部材２１の動作時は廃熱を発生するため、LED部材２１の安定した発光動作を維持するために、その廃熱はヒートシンク端２２を経由して解放される必要があり、該ヒートシンク端２２は貫流ルート１０の内部に配置され、発生した廃熱輻射波R３が貫流ルート１０の空気を励起させる補助作用を形成することができる。
【００３３】
上述の貫流ルート１０に組み込まれた発光装置２、磁石発電機３、蓄電装置４、制御回路４１、及び発光装置２等のデバイスは、一組の貫流ルート１０に分布されたワイヤ（図示しない）により接続導通することができる。
【００３４】
蓄電装置４は貫流ルート１０の下方に設置され、且つ取入口１０１の水平高さより下方の位置に配置される。蓄電装置４が充放電を行う過程において、イオン反応により発生する電気化学廃熱は、加熱補助に利用することができる。つまり、蓄電装置４の動作時に発生する輻射波R２が直接貫流ルート１０の上方に向かって伝送され、まず取入口１０１から進入する環境空気に対して作用し、作用を受けた気体が貫流ルート１０の中間部に到達したときすでに予熱済みの状態になるようにして、輻射波R１の負荷を減少することができる。さらに、蓄電装置４の上方に庇４２を設置し、流入する可能性のある雨水を遮り、排水口１０３から排出することができる。
【００３５】
蓄電装置４は、充電または放電のいずれの状態下でも輻射波R２を発生するため、熱伝導体１の動作時、または発光装置２及び蓄電装置４の動作時のいずれの状況下においても、オフ状態のときを除いて、継続的に輻射波R２を発生する。
【００３６】
また、前記発光装置２はLED部材２１を主要な発光源として利用しているが、前記LED部材２１は現在工業技術がすでにその効率を顕著に向上しており、且つパルス電流の操作を受け入れることができるため、前記制御回路４１にさらにパルス操作の機能を設けることができ、前記蓄電装置４が提供する電流をパルス波に変換してLED部材２１に伝送し、発光に供することができる。LED部材２１はパルス発光の状況下で、そのルーメンを顕著に倍増することができる。
【００３７】
貫流ルート１０がシャーシ１００により支持され、該シャーシ１００はあらゆる方式で地面または庭、或いは屋上等に固定することができ、日光の照射を受けることができる位置であれば実施可能である。道路わきに実施すれば、信号機や街灯に使用することができる。
【００３８】
エアスクリュー３０の取り付けは、その重量及び摩擦の要素を考慮する必要がある。本考案はトラス３２を利用して磁石発電機３及びエアスクリュー３０の全体を支持しており、且つエアスクリュー３０は懸垂方式で設置され、その下端を自由端とするか、支持軸１３を利用した軽微な支持方式で支持することもできる。前記支持軸１３にエアスクリュー３０の重量は負荷されず、その中心位置を導引するだけであるため、エアスクリュー３０の回転の動エネルギーによる摩擦力は、伝動軸３１にのみ存在し、その重力も吸収されるため、エアスクリュー３０全体の重力は支持軸１３の位置で発生せず、懸垂状態が形成されるため、エアスクリュー３０は容易に静止摩擦力に対抗できる。磁石発電機３全体の重量はトラス３２により吸収されるため、磁石発電機３の重量もエアスクリュー３０に作用することはない。この懸垂方式により、エアスクリュー３０はより負荷のない条件下で自由に回転できる。そのうち、該エアスクリュー３０の軽便化のため、膜状の軽量の羽根を採用し、螺旋形に設置する。
【００３９】
また、前述のように排出口１０２近くの部分は、その合成流体圧力が最大であるため、エアスクリュー３０の羽根の面積を最大の作用面積として設け、下に向かって順に小さくすることができる。
【００４０】
図４に示すように、前述の熱伝導体１の吸熱端１１が太陽エネルギー輻射波R０を受け取った後、その媒体により伝達された熱が貫流ルート１０内部で作用する。前記貫流ルート１０内部はその形状および位置の変化を問わず、エネルギーの総和は変化せず、残存する輻射波Rが存在する場合がある。その輻射波Rが発射端１２に作用するとき、冷熱交替のため発射端１２の温度が下がり、発射エネルギーが失われる場合がある。このため、熱伝導体１の内周の貫流ルート１０の管路に反射部材７を設置することができる。前記反射部材７は片状材料または板状材料とすることができ、内表面に光沢のある反射面を有する。また、反射部材７は熱吸収体とすることもでき、それが貫流ルート１０の内部に設置されるため、その吸熱及び熱輻射波の発射状態は制限を受けない。主に前記内表面が光沢のある反射面として形成することができ、残留輻射波Rを貫流ルート１０の中心方向に向かって反射することができるためである。前記反射された輻射波Rは、内部の残存輻射に制限することができ、熱伝導体１の発射端１２に直接作用しない。その取り付け位置は原則上貫流ルート１０の半径より小さくなければならず、かつ発射端１２との間に間隙Gを形成し、この間隙Gを利用して気流及び熱輻射を通過させるようにし、但し前記半径は少なくとも不可エアスクリュー３０の動作直径に影響してはならないものとする。
【００４１】
図５に示すように、上述の発電装置はさらに複数の外観が円形の平らなブロック状を成す発電機８を利用することができ、同軸で積み重ねられて発電機アッセンブリ８０を成し、かつ貫流ルート１０中央軸の排出口１０２近くの位置に取り付けられ、平らなブロック状の発電機８は、中央に設けた発電ユニット８１と、半径方向に分布された複数の対称のファン羽根８２を含み、連結端８２０を介して発電ユニット８１を連動する。そのうち、ファン羽根８２は連結端８２０を介して懸垂方式で発電ユニット８１の軸心に結合される。
【００４２】
発電ユニット８１は、一般の磁場切断発電方式のように、中央軸（図示しない）が連結端８２０からファン羽根８２により動かされ、ファン羽根８２が前述のように気流によって押し動かされた後、発電ユニット８１が回転されて電流を切り出し、生成された電流が前述の取り込み制御を介して照明に利用される。
【００４３】
発電機８の下端面には導流コーン８３を結合し、貫流ルート１０の上方向への気流の抵抗力を大幅に取り除き、気流が円滑にファン羽根８２の空間を通るようにすることができる。
【００４４】
発電機８は複数を同軸に積み重ねた方式で発電機アッセンブリ８０に組み込まれ、多層の連なりを形成し、かつこの量の増加により一定量の合成電流を発生して取り込みと応用に提供できる。熱の作用を受ける気流が多層のニーズを満たすことが前提である。
【００４５】
上述の合成電流は同軸に積み重ねられた一連の発電機８０１、８０２、８０３、８０４…により生成され、そのうち、前述したように、排出口１０２により近い場所が受ける気流圧力はより大きくなり、これにより、最上層の発電機８０１の電流転換率も最大となる。最下層の発電機８０５は、熱気流反応が初期段階では比較的弱いため、発生する電流も比較的微弱であるが、その上の各層発電機８０４、８０３、８０２、８０１を総合すると、満足な合成電流が形成され、取り込みに供することができ、同様に導通し取り込みと制御を経て照明に使用することができる。
【００４６】
上述の最下層の発電機８０５は下方近くの軸端位置に導流コーン８３を設置して気体の流れる方向を導引することができる。
【００４７】
前記発電機８の構造形態は、一般の扁平状のファンモータのような外形で、そのファン羽根８２の高さは発電ユニットよりやや小さく、視覚上ほぼ平らで積層した配置に有利であり、及び該ファン羽根８２上端面の中央に連結端８２０が結合され、連結端８２０中央が発電ユニット８１の軸心（図示しない）と軸接される。於是ファン羽根８２の外観は前述の図３のエアスクリュー３０同様に一般的に懸垂方式とし、その重量も発電ユニット８１の軸心に吸収される。また、発電機８のハウジング８４の外囲は貫流ルート１０の内側に結合され、及びハウジング８４は連結棒８４０により発電ユニット８１を中心位置に位置決めし、及びハウジング８４の高さはファン羽根８２の合計高さを包含する。それにより複数の発電機８０１、８０２、８０３…の間の積層配置は、各ハウジング８４の相対する端面を重ね合わせて積層される。
【００４８】
図６に示すように、貫流ルート１０の上端の排出口１０２の上部の上に、風力駆動の風力発電装置５を設置することができ、該風力駆動の風力発電装置５は設置されたプロペラ５１を利用し、環境の気流の風圧を回転力に転換して風力発電装置５内部の発電機アッセンブリを動かし、電力を生成する。該電力が発生した後、同様に前述の蓄電装置４に伝達される（図４参照）。前記風力発電装置５が風上にあるときは、プロペラ５１（PROPELLER）が風圧を受けて正面が押し動かされるよう方向舵５２を設置する必要があり、該方向舵５２は風向きと反対になり、プロペラ５１の正面が風力の流線に対応するよう導引する。このため、風力発電装置５は風の流れの角度の違いに基づき自由に回転し、発生した電流が導線（図示しない）で伝達されるほか、電機子装置５３（ARMATURE）を接続して間接的に導通し、風力発電装置５が電機子装置５３を中心として任意に風を受ける角度を変えることができるようにしてもよい。
【００４９】
図７に示すように、本考案は太陽光を接受できる位置に設置し、太陽の昼夜の運行に基づき、地球の緯度方向に地球の自転を通して運行線Sが形成される（変化位置図は俯瞰図である）。そのためＩ及びＩＩの象限の中に直接照射角度θ°∠が形成され、貫流ルート１０の太陽に背を向けた他面が陰の面で、この面は顕著に太陽光エネルギーを受けることはできない。また貫流ルート１０に入る熱輻射波が逆光面により消耗されてしまうのを防ぐため、逆光面にサーミスタ部材６を設けて耐熱効果を形成し、貫流ルート１０内部の熱が逆光面で消耗されてしまうことがないようにすることができる。
【００５０】
本考案の貫流ルート１０（図８の俯瞰図を参照）は、熱伝導体１で囲んで構成され、熱伝導体１は鉱物材料または合金材料を採用し、一体成形方式で、中空の内部に貫流ルート１０が形成される。本考案はさらに実施形体の規模の違い、及び材料の準備を考慮し、熱伝導体１を板材１１１、１１２、１１３……に分けて構成した。各板材１１１、１１２、１１３……の相隣する間は線状に結合され、かつ少なくとも３枚で囲んで貫流ルート１０を構成するものとする。図は８枚で構成したものであり、その断面はより円形に近く、各板材１１１、１１２、１１３……の断面は弧度を形成し、より円形に近くすることができる。
【００５１】
上述の分割の意図は、大型の実施の利便性のためでありより多くの枚数を組み合わせれば、貫流ルート１０の内径が相対して拡大される。また、弾性的に大小の規格要求に対応することができる。
【００５２】
一体成形の場合は、多種類の規格のために多くの材料を準備しなければならず、且つ大型の場合は、その金型が相対して巨大になり、材料の運搬も容易でないが、多数の組み合わせを採用すれば、板材１１１、１１２、１１３……の生産は同一の金型を採用でき、且つ小型であるため、加工が便利であり、これによりアルミ合金等の金属に非常に有利で、成型を実施し最後に必要な長さを取り出せば済む。
【００５３】
複数の板材１１１、１１２、１１３……等の相隣する辺部の結合は、ラッチ、リベット、溶接、ピン結合（dry male and
female lips）（図示しない）などとすることができる。
【図面の簡単な説明】
【００５４】
【図１】本考案の実施例の外観図である。
【図２】本考案の熱伝導体の動作原理を示す断面図である。
【図３】本考案の組み立て構造を示す断面図である。
【図４】本考案の反射部材の設置を示す断面図である。
【図５】本考案の発電機アッセンブリの構造図である。
【図６】本考案の複数の風力発電の実施を示す側面図である。
【図７】本考案の上面図である。
【図８】本考案の貫流ルートの囲み構造の上面図である。
【符号の説明】
【００５５】
１        熱伝導体
１０      貫流ルート
１００    シャーシ
１０１    取入口
１０２    排出口
１０３    排水口
１１      吸熱端
１１０    粗面
１２      発射端       
１２０    凹凸面
１３      支持軸
２        発光装置     
２１      LED部材
２２      ヒートシンク端
３        磁石発電機    
３０      エアスクリュー
３００    発電機アッセンブリ
３１      伝動軸       
３２      トラス
４        蓄電装置
４１      制御回路     
４２      庇
５        風力発電装置
５１      プロペラ         
５２      方向舵
５３      電機子装置
６        サーミスタ部材     
７        反射部材
８        発電機
８０      発電機アッセンブリ    
８０１、８０２、８０３、８０４、８０５    発電機     
８２      ファン羽根
８２０    連結端
８３      導流コーン        
８４      ハウジング
８４０    連結棒
G        間隙           
S        運行線
R０        太陽エネルギー輻射波
R、R１、R２、R３    輻射波
１１１、１１２、１１３、１１４、１１５、１１６、１１７、１１８    板材
【図１】
0003146566.tif 000003
【図２】
0003146566.tif 000004
【図３】
0003146566.tif 000005
【図４】
0003146566.tif 000006
【図５】
0003146566.tif 000007
【図６】
0003146566.tif 000008
【図７】
0003146566.tif 000009
【図８】
0003146566.tif 000010